(57)【要約】【課題】この発明は、イルミネーションにより幻想的な光の演出を行うことができるＬＥＤ照明装置を提供する。【解決手段】多数のランプ色を有する複数のＬＥＤ素子１と、これらＬＥＤ素子１を互いに接続する配線ケーブル２とを有し、ＬＥＤ素子１のランプ色は隣接するＬＥＤ素子１のランプ色と異なる色に設定されることを特徴とする。【選択図】図１
2019186029.tif 000002
【特許請求の範囲】
【請求項１】
多数のランプ色を有する複数のＬＥＤ素子と、これらＬＥＤ素子を互いに接続する配線ケーブルとを有し、
前記ＬＥＤ素子のランプ色は、隣接する前記ＬＥＤ素子のランプ色と異なる色に設定されることを特徴とするＬＥＤ照明装置。
【発明の詳細な説明】
【技術分野】
【０００１】
本発明は、野外のイルミネーションなどに利用できるＬＥＤ（Light Emitting Diode）照明装置に関する。
【背景技術】
【０００２】
この種のＬＥＤ照明装置として、例えば特許文献１が知られている。
特許文献１に示されるＬＥＤ照明装置は、２本の導線と、これら２本の導線間に並列に接続された複数の赤色ＬＥＤ及び白色ＬＥＤとを有する構成である。
【０００３】
これら赤色ＬＥＤ及び白色ＬＥＤは、２本の導線間に並列にかつ互いに極性が逆になるように複数接続されており、２本の導線の間に印加する直流電圧の極性を切換装置で反転させることにより、発光するＬＥＤの位置を変更できる構成とされる。
また、上記ＬＥＤ装置では、２本の導線間に、赤色ＬＥＤと緑色ＬＥＤが交互に互いに極性が逆になるように、並列接続された例も示されている。
【先行技術文献】
【特許文献】
【０００４】
【特許文献１】特開２０１４−２２５４４２号公報
【発明の概要】
【発明が解決しようとする課題】
【０００５】
ところで、特許文献１に示されるＬＥＤ照明装置は、複数あるＬＥＤのランプ色をどのように設定するかの明確なルールが示されておらず、その結果、イルミネーションによる光の演出が十分に行えないという不具合が生じていた。
【０００６】
この発明は、上述した事情に鑑みてなされたものであって、イルミネーションにより幻想的な光の演出を行うことができるＬＥＤ照明装置を提供する。
【課題を解決するための手段】
【０００７】
上記課題を解決するために、この発明は以下の手段を提案している。
本発明では、多数のランプ色を有する複数のＬＥＤ素子と、これらＬＥＤ素子を互いに接続する配線ケーブルとを有し、前記ＬＥＤ素子のランプ色は隣接する前記ＬＥＤ素子のランプ色と異なる色に設定されることを特徴とする。
【発明の効果】
【０００８】
本発明によれば、隣接するＬＥＤ素子のランプ色が異なるように配列することにより、ＬＥＤ素子による宝石を模した多色イルミネーションが可能となる。
【図面の簡単な説明】
【０００９】
【図１】本発明に係るＬＥＤ照明装置の全体構成図である。
【図２】図１のＬＥＤ素子を拡大した正面図である。
【図３】図２の断面図である。
【図４】本発明の変形例に係るＬＥＤ素子を示す図である。
【発明を実施するための形態】
【００１０】
本発明の実施形態について図１〜図４を参照して説明する。
図１は本発明に係るＬＥＤ照明装置１００の全体構成図であって、多数のランプ色を有する複数のＬＥＤ素子１と、これらＬＥＤ素子１を互いに接続する配線ケーブル２と、を主な構成要素とする。
【００１１】
ＬＥＤ素子１は、配線ケーブル２に沿って互いに隣接するＬＥＤ素子１と異なるランプ色に設定されている。例えば、ＬＥＤ素子１（１Ａ・１Ｂ・１Ｃ・１Ｄ・１Ｅ・１Ｆ・１Ｇ・・・）のランプ色は、図中左から順に「赤・黄・青・緑・白・オレンジ・青・・・」等というように、隣接するＬＥＤ素子１のランプ色が互いに異なるように配列されている。これにより、本発明のＬＥＤ照明装置１００では、ＬＥＤ素子１により宝石を模したような多色イルミネーションが可能となる。
【００１２】
なお、本例では、隣接するＬＥＤ素子１について互いにランプ色が異なるように配列したが、これに限定されず、図１に示されるように、隣接する複数のＬＥＤ素子１により素子群１０（１０Ａ・１０Ｂ・１０Ｃ・・）を形成した上で、同じ素子群１０内のＬＥＤ素子１を同一色で発光させ、かつ隣接する素子群１０内のＬＥＤ素子１と異なる色で発光させても良い。
【００１３】
例えば、図１に示されるように、素子群１０（１０Ａ）内のＬＥＤ素子１のランプ色を「緑」とし、これに隣接する素子群１０（１０Ｂ）内のＬＥＤ素子１のランプ色を「黄」とし、さらにこれに隣接する素子群１０（１０Ｃ）内のＬＥＤ素子１のランプ色を「青」としても良い。
【００１４】
各ＬＥＤ素子１は、図２及び図３に示されるように、カソード電極及アノード電極側のリードフレーム３Ａ・３Ｂと、リードフレーム３Ａ・３Ｂ上の接点に設けられたＬＥＤチップ４と、ＬＥＤチップ４上に設置されたレンズ部５と、を具備するものであって、各リードフレーム３Ａ・３Ｂの下端に、配線ケーブル２の先端に位置する配線ケーブル接続部２Ａがそれぞれ接続されている。
【００１５】
レンズ部５の前端面中央には、ＬＥＤチップ４で発光した光を拡散させるための円錐状凹部６が形成されている。
また、円錐状凹部６の外側に位置するレンズ部５の周縁部５Ａは面取りされている。そして、面取りされたレンズ部５の周縁部５Ａでは、電線や取り扱い作業者に、レンズ部５が引っ掛かることなく、取り扱い上の安全性を向上させることができる。
なお、図３において、符号７で示すものは、リードフレーム３Ａ・３Ｂの途中に設けられた抵抗である。
【００１６】
ＬＥＤ素子１と配線ケーブル接続部２Ａとの間には、図２及び図３に示されるような半透明チューブ８が外装されている。
この半透明チューブ８は、ＬＥＤ素子１の先端に位置するレンズ部５の外周面、及びＬＥＤ素子１に接続される配線ケーブル接続部２Ａの外周面の間に設置された筒状体である。そして、ＬＥＤ素子１のＬＥＤチップ４にて発光した光は、レンズ部５を経由した後、半透明チューブ８内を移動し、かつその移動中に半透明チューブ８で拡散して、該半透明チューブ８全体を光らせることが可能となる。
これにより、鑑賞者は、発光した半透明チューブ８からの光をどの方向からでも認識することができる。
その結果、本発明のＬＥＤ照明装置１００では、各ＬＥＤチップ４にて様々な色を発光させることができ、かつ同様の色で半透明チューブ８全体から多方向に向けて発光させることができるので、幻想的な雰囲気を演出することが可能となる。
【００１７】
一方、半透明チューブ８は熱収縮可能でかつ耐水性、絶縁性を有する材料で形成されている。すなわち、この半透明チューブ８は、ＬＥＤ素子１と配線ケーブル２との間に取り付けられた状態で、加熱により収縮変形することで、ＬＥＤ素子１と配線ケーブル接続部２Ａとの間にて密着させることができる。
また、この半透明チューブ８は、内面に熱硬化性接着剤を塗布することで、ＬＥＤ素子１と配線ケーブル２との間に接着すると良い。
【００１８】
また、配線ケーブル２の末端には、図１に示すように電源に接続するためのコネクタ２０が設けられている。コネクタ２０は、配線ケーブル２に接続される導電部材２１が、絶縁体（図示略）を介してアルミニウム製のコネクタケース２２により覆われた構造とされており、このようなコネクタケース２２により耐候性及び耐久性を向上させることが可能となる。
また、コネクタケース２２の基端部には、製造年度毎に色の異なる銘板シール２３が設けられている。この銘板シール２３は製造年度を示す識別体となるものであって、この識別体を作業者が参照することで、ＬＥＤ照明装置１００の交換時期を知ることができる。
【００１９】
以上詳細に説明したように本発明に係るＬＥＤ照明装置１００では、隣接するＬＥＤ素子１のランプ色が異なるように配列することにより、ＬＥＤ素子１による宝石を模した多色イルミネーションが可能となる。
【００２０】
また、上記ＬＥＤ照明装置１００では、隣接するＬＥＤ素子１のランプ色が異なるように配列するという構成により、別々の単色のイルミネーションを複数本組み合わせるより、遥かに少ない本数で様々な色の光を表現でき、少ない消費電力で視認性を高めると同時に、美しい幻想的なイルミネーションのシーンを作り出すことが可能となる。
【００２１】
また、上記ＬＥＤ照明装置１００では、ＬＥＤ素子１のレンズ部５と配線ケーブル接続部２Ａとの間に半透明チューブ８を外装し、半透明チューブ８にＬＥＤチップ４で発光された光を通過させることで、該半透明チューブ８を含めたＬＥＤ素子１全体が光って見えるようになり、発光時に多方向から視認させることが可能となる。
これにより、上記ＬＥＤ照明装置１００では、半透明チューブ８の発光を通じて、幻想的な雰囲気を演出することが可能となる。
さらに、上記ＬＥＤ照明装置１００では、半透明チューブ８が耐水性、絶縁性を有する材料で形成されることで、野外で使用する際の信頼性が向上するとの効果が得られる。
【００２２】
また、上記ＬＥＤ照明装置１００では、レンズ部５の前端面中央に、ＬＥＤチップ４で発光した光を拡散させるための円錐状凹部６が形成され、かつ円錐状凹部６の外側に位置するレンズ部５の周縁部５Ａに面取り加工を施すようにした。これにより面取りされたレンズ部５の周縁部５Ａでは、電線や取り扱い作業者に、レンズ部５が引っ掛かることなく、取り扱い上の安全性を向上させることができ、ＬＥＤ素子自体の欠損を防止して、製品の耐久性をアップさせることが可能となる。
【００２３】
また、上記ＬＥＤ照明装置１００では、電源に接続するためのコネクタ２０のコネクタケース２２をアルミニウムにより構成したので、耐候性及び耐久性が向上するとの効果を奏する。
さらに、上記ＬＥＤ照明装置１００では、コネクタケース２２の基端部に、製造年度毎に色の異なる銘板シール２３を設けるようにした。
これにより、上記ＬＥＤ照明装置１００では、銘板シール２３の色を参照することで、イベント後、イルミネーションを取り外しまとめて保管している中でも製造年度の識別が一目でできるため、耐用年数を超えた個体の取り除きが容易となり、経年劣化による絶縁不良等による故障や事故を未然に防ぎ、安全性の確保に繋げることが可能となる。
【００２４】
なお、上記実施形態は以下のように変形例１〜３のように構成しても良い。  
（変形例１）
上記半透明チューブ８は一層により構成しているが、これに限定されず、材料特性成分が異なる少なくとも２層又は２層以上の積層体から構成しても良い。すなわち、上記半透明チューブ８は、図４で示すように、耐水性能、絶縁性能をそれぞれ有する層８Ａ，８Ｂを積層させた積層体で構成するようにしても良い。
【００２５】
（変形例２）
上記半透明チューブ８はチューブ全体を着色するようにしても良い。これにより、上記半透明チューブ８では、半透明チューブ８にＬＥＤチップ４で発光された光の色と合わせた色表現をすることができ、より多彩なイルミネーションのシーンを作り出すことが可能となる。
【００２６】
（変形例３）
上記ＬＥＤ素子１は基本的には配線ケーブル２を介して直列接続されるが、素子数が多くなる場合には、隣接する複数のＬＥＤ素子１により素子群を構成した上で、これら素子群を電源に通じるコネクタ２０に対して並列接続としても良い。
具体的には、図１で示すような、隣接する複数のＬＥＤ素子１により素子群１０（１０Ａ・１０Ｂ・１０Ｃ・・）を形成した上で、同じ素子群１０内のＬＥＤ素子１を直列接続し、かつ隣接する素子群１０を並列接続としても良い。
【００２７】
本発明の要旨は、特許請求の範囲に特定された構成以外でも下記の構成例のように把握することができる。
[構成例１]
多数のランプ色を有する複数のＬＥＤ素子と、これらＬＥＤ素子を互いに接続する配線ケーブルとを有し、
前記ＬＥＤ素子のランプ色は、隣接する前記ＬＥＤ素子のランプ色と異なる色に設定されることを特徴とするＬＥＤ照明装置。
[構成例２]
前記ＬＥＤ素子は、配線ケーブルに沿うように複数個の素子群で形成され、
前記素子群内のＬＥＤ素子は同一色で発光させ、かつ隣接する素子群内のＬＥＤ素子と異なる色で発光させることを特徴とする構成例１に記載のＬＥＤ照明装置。
[構成例３]
前記ＬＥＤ素子の先端に位置するレンズ部の外周面と、前記ＬＥＤ素子に接続される配線ケーブルの接続部の外周面との間には、前記ＬＥＤ素子で発光した光を案内する半透明チューブが外装されることを特徴とする構成例１又は２に記載のＬＥＤ照明装置。
[構成例４]
前記半透明チューブは熱収縮可能でかつ耐水性、絶縁性を有する材料で形成されることを特徴とする構成例３に記載のＬＥＤ照明装置。
[構成例５]
前記半透明チューブは材料特性成分が異なる少なくとも２層の積層体からなることを特徴とする構成例３又は４のいずれか１項に記載のＬＥＤ照明装置。
[構成例６]
前記ＬＥＤ素子のレンズ部の前端面にはＬＥＤチップで発光した光を拡散させるための円錐状凹部が形成されていることを特徴とする構成例１〜５のいずれか１項に記載のＬＥＤ照明装置。
[構成例７]
前記円錐状凹部の外側に位置する前記レンズ部の周縁部は面取りされていることを特徴とする構成例６に記載のＬＥＤ照明装置。
[構成例８]
前記配線ケーブルの末端には電源に接続するためのコネクタが設けられていることを特徴とする構成例１〜７のいずれか１項に記載のＬＥＤ照明装置。
[構成例９]
前記コネクタはアルミニウムにより形成されていることを特徴とする構成例８に記載のＬＥＤ照明装置。
[構成例１０]
前記コネクタには製造年度毎に色の異なる識別体が設けられていることを特徴とする構成例８又は９のいずれか１項に記載のＬＥＤ照明装置。    
【００２８】
以上、本発明の実施形態について図面を参照して詳述したが、具体的な構成はこの実施形態に限られるものではなく、本発明の要旨を逸脱しない範囲の設計変更等も含まれる。
【産業上の利用可能性】
【００２９】
本発明は、野外のイルミネーションなどに利用できるＬＥＤ照明装置に関する。
【符号の説明】
【００３０】
１  ＬＥＤ素子
２  配線ケーブル
２Ａ  配線ケーブル接続部
３Ａ  リードフレーム
３Ｂ  リードフレーム
４  ＬＥＤチップ
５  レンズ部
６  円錐状凹部
８  半透明チューブ
１０  素子群
２０  コネクタ
２２  コネクタケース
２３  銘板シール
１００  ＬＥＤ照明装置
【図１】
2019186029.tif 000003
【図２】
2019186029.tif 000004
【図３】
2019186029.tif 000005
【図４】
2019186029.tif 000006